(57)【要約】【課題】  目隠し枠部を特性を損なうことなく小幅化する。【解決手段】  表示パネル体４を収納したフレーム部材６に、有効表示領域Ｐを囲む目隠し枠部１２を設けた前面パネル５を組み合わす。前面パネル５の内面を保持するコ字状のパネルホルダ部材９とバックカバー部材７とフレーム部材６とが、表示パネル体４の背面に延在されてフレーム部材６に形成した取付部１７において結合することにより、この結合部位を目隠しする目隠し枠部１２を小幅とする。【選択図】  図３
2005070662.tif 000002
【特許請求の範囲】
【請求項１】
表示パネル体と、
上記表示パネル体の前面に配置される透明材によって成形されたパネル体からなり、外周の近傍領域の内面に上記表示パネル体の有効表示領域の外周部と全周に亘って対向することによって対応領域の内部を目隠しする目隠し枠部を設けた前面パネルと、
上記表示パネル体をその表示面が前面側の開口部から外方に臨ませるようにして収納する外装筒部と、この外装筒部の開口部に全周に亘って突出形成されて上記前面パネルの外周部を重ね合わせて固定する外周フランジ部と、上記外装筒部の背面側の内周面に全周に亘って一体に突出形成された取付部とを有する透明樹脂材によって全体略矩形枠状に成形されたフレーム部材と、
上記フレーム部材に対して上記取付部に開口縁部の周回りに一体に形成した取付フランジ部が重ね合わされてるとともにその背面側の開口部を閉塞するようにして組み合わされた金属製のバックカバー部材と、
上記前面パネルに対してその内面側から上記目隠し枠部に対して突き合わされる受け片部と、この受け片部から略直角に折曲されて上記フレーム部材の内周面に沿って延在する基部と、この基部の他端部において上記受け片部と対向するように略直角に折曲されるとともに上記フレーム部材側の上記取付部と対向される取付片部とからなる全体チャンネル状に形成された金属製のパネルホルダ部材とを備え、
上記フレーム部材の取付部と上記バックカバー部材の取付フランジ部と上記パネルホルダ部材の取付片部とが一体に結合される結合部が上記表示パネル体の背面側に構成されることにより、この結合部位を目隠しする上記目隠し枠部が幅狭に形成されることを特徴とするパネル型表示装置。
【請求項２】
上記目隠し枠部に囲まれた領域の内面全体に電磁波遮蔽層を設けた上記前面パネルと、
上記パネルホルダ部材の上記取付片部と上記バックカバー部材の上記取付フランジ部との間に介在するようにして上記フレーム部材の上記取付部に組み合わされる全体チャンネル状に形成された金属製のブラケット部材とを備え、
上記前面パネルに設けた上記電磁波遮蔽層が、上記パネルホルダ部材と上記ブラケット部材とを介して上記バックカバー部材と導通されることによって、上記表示パネル体がシールド空間内に収納されることを特徴とする請求項１に記載のパネル型表示装置。
【請求項３】
上記フレーム部材が、上下に分割された第１の半割フレーム部材と第２の半割フレーム部材とを組み合わせて構成されることを特徴とする請求項１に記載のパネル型表示装置。
【発明の詳細な説明】
【技術分野】
【０００１】
本発明は、画像表示領域の外周部を全周に亘って縁取する目隠し枠部によって、表示パネル体とフレーム部材との合わせ部位を目隠ししてなる大型の表示画面を有するパネル型表示装置に関する。
【背景技術】
【０００２】
パネル型表示装置は、例えばプラズマ・ディスプレィ・パネル（PDP:plasma display panel）や液晶ディスプレィパネル或いはエレクトロ・ルミネッセント・ディスプレィ・パネル（electtro luminescent light source display panel）等の表示パネル体が用いられて、従来の陰極線管（CRT:cathode-ray tube）と比較して大型表示画面化や軽量化、薄型化を実現する。例えば、ＰＤＰ表示装置は、５０インチ以上の大型表示画面を実現するとともに良好な画質や壁掛け型としても使用することが可能な軽量薄型等の特徴を有しており、ハイビジョン放送やデジタルテレビジョン放送用の受信機や大型ディスプレィ装置用として注目されている（特許文献１）。
【０００３】
パネル型表示装置は、一般に、表示パネル体が、その表示面を矩形開口部から外方に臨ませられてベゼルと称される矩形枠状のホルダ部材に組み合わされて構成されていた。これに対して図４及び図５に示したパネル型表示装置１００のように、表示パネル体１０１の前面にガラス板や透明なポカーボネート樹脂等によって形成された前面パネル１０２を重ね合わせるとともにこれらの組立体を透明な樹脂材によって略枠状に成形したフレーム部材１０３に収納して、ベゼルレス構造のパネル型表示装置も提供されている。
【０００４】
パネル型表示装置１００においては、前面パネル１０２が外周部をフレーム部材１０３の開口部に一体に形成した外周フランジ部１０４に重ね合わされるとともに、これらの外周部にチャンネル状の外周ホルダ部材１０５が嵌合されることによって重ね合わせ状態を保持される。パネル型表示装置１００においては、フレーム部材１０３の内周面に取付部１０６が一体に形成されており、この取付部１０６に対して金属製のパネルホルダ部材１０７とバックカバー部材１０８とが止めねじ１０９によってねじ止め固定される。
【０００５】
パネル型表示装置１００においては、表示パネル体１０１から放射される電磁波のレベルが強いために電磁波遮蔽（Electromagnetic Shield）の対応が図られる。パネル型表示装置１００においては、前面パネル１０２の内面に例えば銅箔のフォトエッチング処理により形成した銅細線メッシュ層からなる電磁波遮蔽層１１０が設けられている。パネル型表示装置１００においては、この電磁波遮蔽層１１０とバックカバー部材１０８とがパネルホルダ部材１０７を介して導通されることによって、内部空間をシールド空間部１１１として構成してなる。なお、パネル型表示装置１００には、図４に示すように両側面部に第１のスピーカボックス１１２と第２のスピーカボックス１１３とが組み合わされる。
【０００６】
バックカバー部材１０８は、詳細を省略するが表示パネル体１０１の周囲を覆う全体矩形箱状を呈しており、開口部の外周部に一体に形成した取付部１１４をフレーム部材１０３の取付部１０６に重ね合わせるようにして組み合わされて止めねじ１０９によって固定される。バックカバー部材１０８は、外周部が開口部に向かって開口口径を次第に大きくするテーパが付されるとともに、表示パネル体１０１を覆うに足る高さを以って形成されている。
【０００７】
パネルホルダ部材１０７は、前面パネル１０２の内面に突き当てられる受け片部１１５と、フレーム部材１０３の取付部１０６の先端部が突き当てられる基部１１６と、取付部１０６の底面に重ね合わされる取付片部１１７とが一体に形成されクランク状に形成されている。パネルホルダ部材１０７は、取付片部１１７を取付部１０６に重ね合わせるようにして組み合わされて止めねじ１０９によって固定されることによって、受け片部１１５により前面パネル１０２の外周部を保持する。
【０００８】
以上のように構成されたパネル型表示装置１００においては、従来型のパネル型表示装置と比較してベゼルによる外周枠形状を無くすことによって、薄型感が一層強調されるようになる。パネル型表示装置１００においては、フラットな表示面に画像が空間に浮いた独特の表示が行われるいわゆるフローティング表示が行われる。パネル型表示装置１００においては、外周部への広がり感を与えて大型画面感を得えるようにする。パネル型表示装置１００においては、前面部の表示面積効率の向上が図られるようになる。
【０００９】
ところで、パネル型表示装置１００においては、上述したフレーム部材１０３とバックカバー部材１０８及びパネルホルダ部材１０７とが、図５に示すように表示パネル体１０１の外周部において結合される構造となっている。パネル型表示装置１００においては、かかる構造から結合部位や表示パネル体１０１の外周部或いは図示しない光学表示部の基板やスピーカボックス１１２，１１３の配線等が前面側から視認されてしまう。
【００１０】
パネル型表示装置１００においては、表示パネル体１０１の外周部に現れる上述した各部を外部から目隠しする目隠し枠部１１８が前面パネル１０２の内面に形成されている。目隠し枠部１１８は、前面パネル１０２の内面に、表示パネル体１０１の有効表示領域の外周部との対向位置から外周部に亘って例えば黒色セラミックプリントを施した黒色の不透明層からなる。パネル型表示装置１００においては、この目隠し枠部１１８によって上述した表示パネル体１０１の外周部に存在する各部が被覆されるとともに、画像が浮き上がるように強調されて表示されることでフローティング表示効果が一層高められるようになる。
【００１１】
【特許文献１】特開２００３−１７４６９２号公報
【発明の開示】
【発明が解決しようとする課題】
【００１２】
ところで、パネル型表示装置１００においては、上述したようにフレーム部材１０３とバックカバー部材１０８及びパネルホルダ部材１０７とが表示パネル体１０１の外周部において結合され、目隠し枠部１１８によってこの結合部位を目隠しする。パネル型表示装置１００においては、目隠し枠部１１８が、具体的には図５に示すように表示パネル体１０１の有効表示領域から外側部位と対向する領域Ａと、パネルホルダ部材１０７の前面パネル受け部１０７の幅と対向する領域Ｂと、フレーム部材１０３の取付部１０６と対向する領域Ｃとを遮蔽する。
【００１３】
したがって、パネル型表示装置１００においては、図４に示すように表示パネル体１０１の有効表示領域の外周部を囲んで、比較的広幅の目隠し枠部１１８が設けられる。パネル型表示装置１００においては、上述したように目隠し枠部１１８によりフローティング表示効果を向上させる特徴を有しているが、その幅が大きくなることによって表示面のバランスが悪くなってしまうといった問題があった。また、パネル型表示装置１００においては、目隠し枠部１１８の面積比率が大きくなるために、従来型の表示装置との比較で前面部の実効的な表示面積効率がさほど得られなくなるといった問題があった。
【００１４】
パネル型表示装置１００においては、比較的広幅の黒色セラミックプリントを施して目隠し枠部１１８を形成するが、厚みのバラツキが無く精度のよいプリントが難しくなるといった問題があった。パネル型表示装置１００においては、大型の前面パネル１０２やフレーム部材１０３を必要とすることで、部材コストが上昇するとともに取り扱いも面倒となる。
【００１５】
パネル型表示装置１００においては、特にフレーム部材１０３が、装置全体の構造体を構成することによって充分な機械的強度を有し、外装部材としてウエルドラインの発生等が低減されて高精度の仕上がりが必要であり、外周フランジ部１０４や取付部１０６或いは図示しない位置決め部等が一体に成形された複雑な形状を透明樹脂材により一体に成形されてなる。フレーム部材１０３は、このために高性能で大型製品の成形を可能とする成型機と、高精度でかつ複雑な構造の成形金型とを用いて、特殊な成型方法によって成形される。
【００１６】
また、パネル型表示装置１００においては、上述したように外周部が表示パネル体１０１を覆うに足る高さを有するバックカバー部材１０７が、絞り加工によって形成される。バックカバー部材１０７は、このために加工コストが高くなるとともに、必要に応じて段差を付けたり曲げ部を設けるといった加工を施すことが困難であり形状的な自由度が小さいといった問題があった。
【００１７】
パネル型表示装置１００においては、上述したように前面パネル１０２の内面に設けた電磁波遮蔽層１１０とバックカバー部材１０８とをパネルホルダ部材１０７を介して導通することによって表示パネル体１０１をシールド空間部１１１内に収納しなければならない。したがって、パネル型表示装置１００においては、パネルホルダ部材１０７が電磁波遮蔽層１１０とバックカバー部材１０８とをしっかりと導通するように比較的高精度に形成される。パネル型表示装置１００においては、クランク状に形成した長尺のパネルホルダ部材１０７が長さ方向に対して撓みを生じやすく、このパネルホルダ部材１０７に対して前面パネル１０２の内面を全域に亘って安定した状態で保持させるように調整する工程も必要であった。
【００１８】
したがって、本発明は、フローティング表示構造の特徴を踏襲し、前面パネルの内面に形成される目隠し枠部をその特性を損なうことなく小幅化されたパネル型表示装置を提供することを目的に提案されたものである。
【課題を解決するための手段】
【００１９】
上述した目的を達成する本発明にかかるパネル型表示装置は、表示パネル体と、前面パネルと、フレーム部材と、バックカバー部材と、パネルホルダ部材とを備える。表示パネル体は、例えばプラズマ・ディスプレィ・パネルや液晶ディスプレィパネル或いはエレクトロ・ルミネッセント・ディスプレィ・パネル等の薄型で大型表示画面を有する表示パネル体からなる。前面パネルは、表示パネル体の前面に配置される透明材によって成形されたパネル体からなり、外周の近傍領域の内面に表示パネル体の有効表示領域の外周部と全周に亘って対向することによって対応領域の内部を目隠しする目隠し枠部が設けられる。フレーム部材は、透明樹脂材によって全体略矩形枠状に成形され、表示パネル体をその表示面が前面側の開口部から外方に臨ませるようにして収納する外装筒部と、この外装筒部の開口部に全周に亘って突出形成されて前面パネルの外周部を重ね合わせて固定する外周フランジ部と、外装筒部の背面側の内周面に全周に亘って一体に突出形成された取付部とを有する。バックカバー部材は、金属材によって全体箱状に形成され、フレーム部材に対して取付部に開口縁部の周回りに一体に形成した取付フランジ部が重ね合わされるとともにその背面側の開口部を閉塞するようにして組み合わされる。パネルホルダ部材は、金属材によって一体に形成され、前面パネルに対してその内面側から目隠し枠部に対して突き合わされる受け片部と、この受け片部から略直角に折曲されてフレーム部材の内周面に沿って延在する基部と、この基部の他端部において受け片部と対向するように略直角に折曲されるとともにフレーム部材側の取付部と対向される取付片部とからなる全体チャンネル状に形成されてなる。
【００２０】
以上のように構成された本発明にかかるパネル型表示装置においては、フレーム部材内に表示パネル体が収納され、この状態において取付部が表示パネル体の背面部側に延在する。パネル型表示装置においては、表示パネル体の前面に配置した前面パネルが、外周部をフレーム部材の外周フランジ部と重ね合わされて一体化される。パネル型表示装置においては、パネルホルダ部材が、取付片部を取付部に重ね合わされてフレーム部材と組み合わされるとともに、受け片部を目隠し枠部の内周部位に突き合わされることによって前面パネルを保持する。パネル型表示装置においては、バックカバー部材が、取付フランジ部を取付部に重ね合わされてフレーム部材と組み合わされることによって、このフレーム部材の背面開口部を閉塞する。パネル型表示装置においては、フレーム部材の取付部が表示パネル体の背面側に延在するようにして形成され、パネルホルダ部材が表示パネル体の外周部を包み込むようにして前面パネルの内面とフレーム部材の取付部との間に組み付けられる。パネル型表示装置においては、バックカバー部材の取付フランジ部がパネルホルダ部材とともに表示パネル体の背面側においてフレーム部材の取付部を介して一体に結合されることから、この結合部位が表示パネル体によって覆われる。
【発明の効果】
【００２１】
以上のように構成された本発明にかかるパネル型表示装置によれば、フレーム部材の取付部とバックカバー部材の取付フランジ部とパネルホルダ部材の取付片部とを、表示パネル体の背面側において一体に結合するように構成したことにより、この結合部位が表示パネル体によって隠されて前面側から視認されないように構成される。したがって、パネル型表示装置によれば、前面パネルに形成される目隠し枠部を、表示パネル体の有効表示領域の外周部及びこの表示パネル体とフレーム部材との合わせ部位を目隠しするに足る幅狭に構成することが可能となる。パネル型表示装置によれば、目隠し枠部を幅狭とすることによって、前面部の実効的な表示面積効率が大きくなって表示効率の向上が図られるようになるとともに、精密な目隠し枠部をプリント形成することが可能となる。
【発明を実施するための最良の形態】
【００２２】
以下、本発明の実施の形態として図面に示したパネル型表示装置１について詳細に説明する。パネル型表示装置１は、図１及び図２に示すように正面形状が横長矩形を呈し、左右側面部にスピーカボックス２、３が組み合わされてなる。パネル型表示装置１は、図２に示すように、表示パネル体４と、前面パネル５と、フレーム部材６と、バックカバー部材７とを備える。パネル型表示装置１は、詳細を後述するように前面パネル５とフレーム部材６の重ね合わせた外周部の上下及び左右部位をそれぞれ保持する外周ホルダ部材８Ａ乃至８Ｄ（以下、外周ホルダ部材８と総称する。）を備える。パネル型表示装置１は、前面パネル５とフレーム部材６及びバックカバー部材７とを上下及び左右部位においてそれぞれ結合するパネルホルダ部材９Ａ乃至９Ｄ（以下、パネルホルダ部材９と総称する。）と、ブラケット部材１０Ａ乃至１０Ｄ（以下、ブラケット部材１０と総称する。）とを備える。
【００２３】
パネル型表示装置１は、表示パネル体４が、横長矩形の６１インチ大画面を有する大型のカラープラズマディスプレイパネルからなる。カラープラズマディスプレイパネルは、周知のように放電セル内に配置した電極間にパルス電圧を印加して放電により紫外線を発生させ、この紫外線を前面ガラスに形成した赤、緑、青の光三原色蛍光体に照射して発光表示が行われるようにする。カラープラズマディスプレイパネルは、陰極線管のように高電圧の駆動部を必要とせず、軽量薄型であるとともに大型の表示画面を形成することが可能であるといった種々の特徴を有している。
【００２４】
表示パネル体４は、詳細を省略するが、マトリックス状に配列した放電セルや駆動回路部或いは制御回路部や電源部等を有するパネルユニットがシールドケース内に組み付けられ、このシールドケースの前面部に発光層が形成された発光表示面を構成する前面ガラスがパネルユニットを密封するようにして組み付けられてなる。表示パネル体４には、図示を省略するがシールドケースに適宜の取付部が一体に形成されており、これら取付部を介してフレーム部材６に組み付けられて固定される。
【００２５】
前面パネル５は、例えばガラスや透明なポリカーボネート樹脂やアクリル樹脂或いは適宜の透明樹脂材によって、表示パネル体４の表示部よりも大きな外形を有する横長矩形に形成されている。前面パネル５には、詳細を省略するが表面に外光の反射を防止するとともに傷付きを防止しかつ外部光の影響を低減して良好な画像表示を行うようにする反射防止フィルムが接合されている。前面パネル５には、裏面側の表示パネル体４の表示部と対向する領域に赤外線吸収フィルムが接合されるとともに銅箔にフォトエッチング処理を施して電磁波遮蔽層１１（図３参照）が形成されている。
【００２６】
前面パネル５には、内面に、外周縁からやや内側に位置して所定幅を有する目隠し枠部１２が形成されている。目隠し枠部１２は、詳細を後述するように表示パネル体４の有効表示領域Ｐの外周部及びこの表示パネル体４とフレーム部材６との合わせ部位１３を目隠しするに足る幅Ｗを以って形成されている。目隠し枠部１２は、前面パネル５の裏面に、例えば黒色セラミック印刷を施して形成される。また、目隠し枠部１２は、図１に示すように前面パネル５の外周縁に沿って、所定の幅を有する枠状の透明領域１３を構成する。したがって、パネル型表示装置１においては、前面パネル５の目隠し枠部１２で囲まれた領域内に画像表示が行われるようにするとともに、表示画像が周囲の枠状透明領域１３によって浮き上がった独自の表示形態を呈するようになる。
【００２７】
パネル型表示装置１においては、前面パネル５の左右の枠状透明領域１３内に、詳細を省略するが例えば電源の投入状態や搭載機能の設定状態を光学的に表示する光学表示部１４が設けられている。また、パネル型表示装置１においては、前面パネル５の目隠し枠部１２内に位置して、図示を省略するがリモートコントローラから出射される制御信号の赤外線を受光する受光部が形成されている。
【００２８】
フレーム部材６は、組み合せた状態において全体略角筒体を構成する半割り構造の上部フレーム部材６Ａと下部フレーム部材６Ｂとからなる。フレーム部材６は、上部フレーム部材６Ａと下部フレーム部材６Ｂとが、上下略対称形に形成され、突き合わせ端部間を図示しないジョイント部材を介して一体化することによって上述した略角筒体を構成する。
【００２９】
フレーム部材６は、透明な合成樹脂材、例えばポリカーボネート樹脂やアクリル樹脂或いはＭＳ樹脂（メチルメタクリレート・スチレンモノマー共重合体），ポリプロピレン，ＡＢＳ樹脂（アクリロニトリルブタジエンスチレン），ポリスチレン樹脂，エポキシ系樹脂等の樹脂材によって成形される。フレーム部材６は、上述したように上部フレーム部材６Ａと下部フレーム部材６Ｂとを一体化するが、一体化した状態において表示パネル体４を収納するに足る長さを有する角筒状の外装筒部１５と、この外装筒部１５の前面側の開口縁に沿って全周に亘って突出形成された略板状の外周フランジ部１６と、外装筒部１５の背面側の内面に全周に亘って突出形成された立壁状の取付部１７を有している。
【００３０】
フレーム部材６には、後述するように取付部１７にバックカバー部材７やパネルホルダ部材９或いはブラケット部材１０が取り付けられる。したがって、取付部１７には、多数個の取付孔１８（図３参照）が設けられている。
【００３１】
フレーム部材６は、前面側の開口部から外装筒部１５の内部に表示パネル体４が収納され、外装筒部１５に形成した図示しない取付部上に表示パネル体４を固定する。フレーム部材６は、この状態において取付部１７が表示パネル体４の背面側に回り込むようにして延在する。なお、フレーム部材６には、詳細を省略するがバックカバー部材７、外周ホルダ部材８、パネルホルダ部材９或いはブラケット部材１０を位置決めして組み付ける取付部が適宜形成されている。
【００３２】
フレーム部材６は、パネル型表示装置１において、外装部材の機能と、上述したように６０インチ以上の大型画面を有する重量の大きな表示パネル体４やスピーカボックス２，３を取り付けて保持する筐体機能と、前面パネル５と重ね合わされて前面部材の一部を構成する機能或いは光学表示部１４を内照する導光機能等を有する部材である。フレーム部材６は、上述したように透明な合成樹脂材によって成形されるが、充分な機械的強度を有するとともに、歪み等の発生が無い高精度の平坦性を有しかつウエルドラインが目立たない仕上りが要求される。
【００３３】
かかる特性を有するフレーム部材６は、一体で成形する場合には、高精度で大型の成型機と精密かつ複雑な成形金型とが用いられるが、成形効率や歩留りも悪く極めて高価となってしまうとともに充分な成形精度を得ることが困難である。したがって、フレーム部材６は、上述したように上部フレーム部材６Ａと下部フレーム部材６Ｂとに半割りして成形し、これら半割体を一体に組み合わせて構成する。フレーム部材６は、かかる構造を採用することにより、上述した所定の機能を奏するとともに仕上がり精度の向上やコスト低減が図られるようになる。
【００３４】
バックカバー部材７は、アルミ等の軽量金属材にプレス加工を施して全体略有底箱状に形成され、表示パネル体４の背面部を覆うようにしてフレーム部材６に組み付けられて収納した表示パネル体４を保護する。バックカバー部材７は、後述するように前面パネル５の電磁波遮蔽層１１と電気的に導通され、表示パネル体４を収納するフレーム部材６の内部空間をシールド空間に構成する。バックカバー部材７には、表示パネル体４の背面部に設けた詳細を省略する入出力端子部に対向して底面部に開口部１９が形成されており、電源コードやアンテナ線或いは各種のケーブル等が引き込まれる。
【００３５】
バックカバー部材７には、開口部の周回りに全周に亘って取付フランジ部２０が一体に形成されている。バックカバー部材７は、詳細を後述するように取付フランジ部２０が上述したフレーム部材６の取付部１７に重ね合わされて固定される。取付フランジ部２０には、取付部１７に形成した取付孔１８に対応して複数の取付孔２１が形成されている。
【００３６】
バックカバー部材７は、詳細を後述するように表示パネル体４の背面部においてフレーム部材６に組み合わされることから、従来のバックカバー部材と比較して深さが小さい有底箱状に形成される。バックカバー部材７は、このために従来のように軽量金属材に深絞り加工を施して形成することなく、上述しプレス曲げ加工によって形成することが可能となる。したがって、バックカバー部材７は、加工コストが低減されるとともに、必要に応じて段差を付けたり曲げ部を設けるといった加工を施すことも可能であり形状的な自由度が大きくなるとともに部品精度の向上も図られる。
【００３７】
外周ホルダ部材８は、重ね合わされた前面パネル５の外周部とフレーム部材６の外周フランジ部１６の外周部とを、上下及び左右において挟み込んで保持する部材である。外周ホルダ部材８は、詳細を省略するが図２に示すように前面パネル５の長手方向の長さと等しい上下辺用の外周ホルダ部材８Ａ，８Ｂと、前面パネル５の幅方向の長さと等しい左右辺用の外周ホルダ部材８Ｃ，８Ｄとの長さを異にした２組４本からなる。各外周ホルダ部材８Ａ乃至８Ｄは、長さを異にするが他の構成を同等とすることから、個々の説明を省略する。
【００３８】
外周ホルダ部材８は、充分な機械的強度を有するとともに所定の外観仕上げが可能な例えばステンレス材等が用いられ、前面パネル５の厚みとフレーム部材６の外周フランジ部１６の和とほぼ等しい溝幅を有する保持溝を構成して内側保持片部と外側保持片部とを梁部により連結した全体チャンネル状を呈している。外周ホルダ部材８は、内側保持片部と外側保持片部とによって重ね合わされた前面パネル５の外周部とフレーム部材６の外周フランジ部１６の外周部とを挟み込むようにして保持する。
【００３９】
外周ホルダ部材８は、この状態においてパネル型表示装置１の前面部において外周部を縁取るモール部材としても機能する。外周ホルダ部材８は、前面パネル５と外周フランジ部１６とを保持した状態において、各辺において全長に亘って目隠し枠部１２との間において透明領域１３が保持される幅によって形成されている。
【００４０】
外周ホルダ部材８には、詳細を省略するが内側保持片部に、フレーム部材６の外周フランジ部１６に形成した取付部に対向して複数箇所にねじ孔が形成されるとともに、この内側保持片部の先端部を内側へと折曲して外周フランジ部１６の背面に形成した水平方向のガイドリブと相対係合されるガイドリブが形成されている。外周ホルダ部材８は、これらの相対するガイドリブの組み合わせによって、外周フランジ部１６が前面パネル５と重ね合わされたフレーム部材６に対して位置決めされて組み合わされる。
【００４１】
パネルホルダ部材９は、外周ホルダ部材８とともに、前面パネル５とフレーム部材６のと外周フランジ部１６との重ね合わせ状態を保持する。パネルホルダ部材９も、図２に示すように前面パネル５の長手方向の長さと等しい上下辺用のパネルホルダ部材９Ａ，９Ｂと、前面パネル５の幅方向の長さと等しい左右辺用のパネルホルダ部材９Ｃ，９Ｄとの長さを異にした２組４本からなる。各パネルホルダ部材９Ａ乃至９Ｄは、長さを異にするが他の構成を同等とすることから、個々の説明を省略する。
【００４２】
パネルホルダ部材９は、充分な機械的強度を有するとともに導電性を有する例えばステンレス材等が用いられ、前面パネル５の目隠し枠部１２に対して突き合わされる受け片部２２と、前面パネル５とフレーム部材６の取付部１７との対向間隔とほぼ等しい高さを有する基部２３と、取付部１７に対して突き合わされる取付片部２４とが一体に形成されてなる。パネルホルダ部材９は、基部２３の両端部において受け片部２２と取付片部２４とが全長に亘って互いに対向するように略直角に折曲されたチャンネル状を呈している。
【００４３】
パネルホルダ部材９は、受け片部２２が、上述した目隠し枠部１２よりも小幅に形成されており、後述するようにこの目隠し枠部１２の形成領域において前面パネル５の内面に突き合わされてこの前面パネル５を保持する。また、パネルホルダ部材９は、受け片部２２が、表示パネル体４の有効表示領域Ｐの外方に沿って延在する幅を以って形成されている。パネルホルダ部材９は、受け片部２２に弾性シートからなるガスケット２５が接合されており、このガスケット２５を介して前面パネル５の内面に突き合わされる。
【００４４】
パネルホルダ部材９は、基部２３が、表示パネル体４の外周部位の厚みよりもやや大きな高さを以って形成されている。パネルホルダ部材９は、フレーム部材６に組み付けられた状態において、基部２３が外装筒部１５の内周面に延在する。パネルホルダ部材９は、この状態で基部２３の他端側に折曲形成された取付片部２２がフレーム部材６側の取付部１７と対向する。また、パネルホルダ部材９は、取付片部２２が表示パネル体４の背面部に回り込むようにして延在する。パネルホルダ部材９には、フレーム部材６の取付部１７に形成した取付孔１８に対応して複数の取付孔２６が形成されている。
【００４５】
パネルホルダ部材９は、上述したようにチャンネル状に形成されることによって、長尺部材であっても長さ方向の撓みが生じにくい構造である。したがって、パネルホルダ部材９は、全長に亘って前面パネル５の内面をフレーム部材６の取付部１７との間において高精度に保持する。パネルホルダ部材９は、薄厚の金属材を用いるとともに曲げ加工後の調整工程も不要として形成されることで、コスト低減が図られる。
【００４６】
ブラケット部材１０は、フレーム部材６の取付部１７にはめ合わされ、この取付部１７とバックカバー部材７の取付フランジ部２０とパネルホルダ部材９の取付片部２２とがより大きな強度で結合されるようにするとともに、これら部材を介して前面パネル５の電磁波遮蔽層１１とバックカバー部材７との導通を図るようにする。ブラケット部材１０も、図２に示すようにフレーム部材６の各内周面とそれぞれほぼ等しい長さを有する上下取付部用のブラケット部材１０Ａ，１０Ｂ及び左右辺用の取付部用のブラケット部材１０Ｃ，１０Ｄからなる長さを異にした２組４本からなる。各ブラケット部材Ａ乃至１０Ｄは、長さを異にするが他の構成を同等とすることから、個々の説明を省略する。
【００４７】
ブラケット部材１０は、充分な機械的強度を有するとともに導電性を有する例えばステンレス材等が用いられ、取付部１７の前面側に突き当てられる前面受け片部２７と、この前面受け片部２７から直角に折曲され取付部１７の厚みとほぼ等しい高さを有する基部２８と、この基部２８の他端部において前面受け片部２７と対向して直角に折曲された背面受け片部２８とからなるチャンネル状を呈している。
【００４８】
ブラケット部材１０は、前面受け片部２７と背面受け片部２８とが取付部１７よりもやや小幅に形成されており、この取付部１７に組み付けた状態において外装筒部１５の内面との間にバックカバー部材７の厚みとほぼ同等の間隙が構成されるようにする。ブラケット部材１０は、取付部１７に取り付けた状態において各取付孔１８とそれぞれ対応して、前面受け片部２７に複数の取付孔３０が形成されるとともに背面受け片部２８に複数の取付孔３１が形成されている。取付孔３１には、バックカバー部材７側の取付孔２１に嵌挿した止めねじ３２が貫通する。止めねじ３２は、取付孔３１と連通する取付部１７の取付孔１８と前面受け片部２７に複数の取付孔３０とを貫通してパネルホルダ部材９の取付片部２４に形成した取付孔２６にねじ込まれる。
【００４９】
ブラケット部材１０は、樹脂製のフレーム部材６の取付部１８にはめ込むようにして組み付けられることで、取付部１８の機械的強度を向上させる。ブラケット部材１０は、チャンネル状に形成されることによって長さ方向の撓みも小さく、フレーム部材６の取付部１８の位置精度も保持する。
【００５０】
パネル型表示装置１においては、一般に前面パネル５を目隠し枠部１２を形成した内面側を上に向けて位置決めした状態で、構成各部材を順次積層するようにして組立が行われるが、説明の便宜上かかる組立法に限定することなく構成各部材の組合せ構造について以下説明する。パネル型表示装置１においては、上部フレーム部材６Ａと下部フレーム部材６Ｂとを組み付けて角筒状としたフレーム部材６の内部に、前面開口部側から表示パネル体４が組み合わされる。パネル型表示装置１においては、表示パネル体４が、フレーム部材６に形成した適宜の取付部に固定されて収納される。
【００５１】
パネル型表示装置１においては、フレーム部材６の前面開口部を覆って前面パネル５が外周部を外周フランジ部１６に重ね合わせて組み付けられる。パネル型表示装置１においては、この状態において表示パネル体４に対して前面パネル５が、図３に示すように表示パネル体４の有効表示領域Ｐに対して目隠し枠部１２の内周部が対向するように位置決めされる。パネル型表示装置１においては、前面パネル５の外周部とフレーム部材６の外周フランジ部１６の外周部を挟み込むようにして外周ホルダ部材８が組み付けられる。
【００５２】
パネル型表示装置１においては、フレーム部材６の取付部１７にブラケット部材１０がはめ込まれるようにして組み付けられ、この状態においてその前面受け片部２７に対してパネルホルダ部材９の取付片部２４が重ね合わされる。パネル型表示装置１においては、上述したようにパネルホルダ部材９の受け片部２２がガスケット２５を介して前面パネル５の内面に突き当てられている。パネル型表示装置１においては、この状態でパネルホルダ部材９の受け片部２２が前面パネル５の目隠し枠部１２の領域内で突き当てられることから、目隠し枠部１２によって前面側から受け片部２２が視認されることは無い。
【００５３】
また、パネル型表示装置１においては、パネルホルダ部材９の受け片部２２が、前面パネル５の内面において電磁波遮蔽層１１と接触して導通することにより、基部２３と取付片部２４とを介して電磁波遮蔽層１１をブラケット部材１０と導通させる。
【００５４】
パネル型表示装置１においては、フレーム部材６の後方開口部を覆ってバックカバー部材７が取付フランジ部２０を取付部１７に突き当てられて組み付けられる。パネル型表示装置１においては、バックカバー部材７が、取付フランジ部２０をブラケット部材１０の背面受け片部２９に重ね合わされるとともに、図３に示すようにその先端部２０ａが背面受け片部２９とフレーム部材６の外装筒部１５の内面との間に構成された間隙に相対嵌合する。
【００５５】
パネル型表示装置１においては、上述したようにフレーム部材６の取付部１７に対してブラケット部材１０が組み付けられるとともに、このブラケット部材１０を挟んでパネルホルダ部材９の取付片部２４とバックカバー部材７の取付フランジ部２０とが重ね合わされる。パネル型表示装置１においては、この状態においてフレーム部材６の取付部１７の取付孔２６に対して、パネルホルダ部材９の取付片部２４の取付孔２６と、ブラケット部材１０の前面受け片部２７の取付孔３０及び背面受け片部２９の取付孔３１と、バックカバー部材７の取付フランジ部２０の取付孔２１とが互いに連通する。
【００５６】
パネル型表示装置１においては、バックカバー部材７側から止めねじ３２が取付孔２１に嵌挿され、この止めねじ３２が各取付孔３１を貫通してパネルホルダ部材９の取付孔２６にねじ込まれる。パネル型表示装置１においては、止めねじ３２によって結合されることにより、フレーム部材６の取付部１７に対してパネルホルダ部材９と、ブラケット部材１０と、バックカバー部材７とが一体化される。パネル型表示装置１においては、上述したようにフレーム部材６の取付部１７が表示パネル体４の背面部に延在されて結合部位を構成することから、表示パネル体４によって前面側から結合部が視認されることは無い。
【００５７】
パネル型表示装置１においては、バックカバー部材７がブラケット部材１０と一体化されることによって、このブラケット部材１０とパネルホルダ部材９とを介して電磁波遮蔽層１１と導通される。したがって、パネル型表示装置１においては、表示パネル体４がシールド空間として構成されたフレーム部材６の内部に収納される。パネル型表示装置１においては、上述したように前面パネル５に対して遠い位置でバックカバー部材７が結合される構造にもかかわらず、このバックカバー部材７と電磁波遮蔽層１１とが複雑な導通構造を介することなく確実に行われるようになる。
【００５８】
以上のように構成されたパネル型表示装置１においては、前面パネル５に形成される目隠し枠部１２が、その幅Ｗを表示パネル体４の有効表示領域Ｐの外周部及びこの表示パネル体４とフレーム部材６との合わせ部位を目隠しするに足る幅狭に構成することが可能となる。したがって、パネル型表示装置１においては、前面部の実効的な表示面積効率を大きくすることが可能となり、表示効率の向上が図られるようになる。また、パネル型表示装置１においては、目隠し枠部１２の幅Ｗ寸法の自由度が大きくなり画像のフローティング表示効果がより向上されるようになる。さらに、パネル型表示装置１においては、目隠し枠部１２を幅狭とすることによって、塗りむら等の発生を押さえた精密な黒色セラミックプリントが行われるようになる。なお、パネル型表示装置１においては、目隠し枠部１２がその幅寸法Ｗを、従来の約８７ｍｍから約４７ｍｍ程度まで幅狭とすることが可能となった。
【００５９】
なお、パネル型表示装置１においては、パネルホルダ部材９とブラケット部材１０とを別部材によって構成したが、例えばパネルホルダ部材９の取付片部２４にブラケット部材１０の形状部位を連設することによって一体化して構成してもよい。パネルホルダ部材９は、かかる形状であっても２次元曲げ加工で形成されることから、容易に形成される。
【００６０】
また、上述した実施の形態は、大型のカラープラズマディスプレイパネルからなる表示パネル体４を備えたパネル型表示装置１の適用例を示したが、例えば液晶ディスプレィパネルやエレクトリックルミネッセンスディスプレィパネル等の適宜のディスプレィパネルを備えたパネル型表示装置或いは陰極線管を備えた表示装置等にも適用されることは勿論である。
【図面の簡単な説明】
【００６１】
【図１】実施の形態として示すパネル型表示装置の斜視図である。
【図２】パネル型表示装置の要部分解斜視図である。
【図３】前面パネルとフレーム部材及びバックカバー部材の結合構造を説明する要部縦断面図である。
【図４】従来のパネル型表示装置の斜視図である。
【図５】従来の前面パネルとフレーム部材及びバックカバー部材の結合構造を説明する要部縦断面図である。
【符号の説明】
【００６２】
１  パネル型表示装置、２，３  スピーカボックス、４  表示パネル体、５  前面パネル、６  フレーム部材、７  バックカバー部材、８  外周ホルダ部材、９  パネルホルダ部材、１０  ブラケット部材、１１  電子遮蔽層、１２  目隠し枠部、１５  外装筒部、１６  外周フランジ部、１７  取付部、２０  取付フランジ部、２２  受け片部、２３  基部、２４  取付片部、２７  前面受け片部、２８  基部、２９  背面受け片部
【図１】
2005070662.tif 000003
【図２】
2005070662.tif 000004
【図３】
2005070662.tif 000005
【図４】
2005070662.tif 000006
【図５】
2005070662.tif 000007